(57)【要約】【課題】設置コストや設置作業の手間の点で非常に合理的であるとともに、仕切り壁体の利用率の点からも効率がよく、さらに仕切り壁体収納部の数が少なくて済む廊下の仕切り構造を提供する。【解決手段】廊下Ｈを複数の位置で仕切る構造であって、廊下の横断方向に仕切り可能な長さを有し長さ方向に屈曲自在な仕切り壁体１と、仕切り壁体の移動を案内するレール２、３とを備え、レールは、複数の廊下横断部Ｓ１〜Ｓ３と、廊下横断部以外の連繋部Ｒ１、Ｒ２とを有し、仕切り壁体の数は廊下横断部の数よりも少ないことを特徴とする。【選択図】図２
2006161315.tif 000002
【特許請求の範囲】
【請求項１】
廊下を複数の位置で仕切る構造であって、廊下の横断方向に仕切り可能な長さを有し長さ方向に屈曲自在な仕切り壁体と、該仕切り壁体の移動を案内するレールとを備え、該レールは、複数の廊下横断部と、該廊下横断部以外の連繋部とを有し、上記仕切り壁体の数は上記廊下横断部の数よりも少ないことを特徴とする廊下の仕切り構造。
【発明の詳細な説明】
【技術分野】
【０００１】
本発明は、設置コストや設置作業の手間の点で非常に合理的であるとともに、仕切り壁体の利用率の点からも効率がよく、さらに仕切り壁体収納部の数が少なくて済む廊下の仕切り構造に関する。
【背景技術】
【０００２】
従来、ビルや家屋などの廊下を仕切る構造に関する技術として、例えば特許文献１に開示されたものが知られている。
【０００３】
特許文献１は、玄関ホールから連続して廊下が設けられた一般の家屋において、玄関ホールからの採光を廊下にまで十分に取り入れることができる、開閉可能な間仕切り部を備えた部屋構造に関するものであって、玄関ホールと廊下との境界部に、床面に設けた下レールと天井面に設けた上レールとの間に滑動自在に設けられた仕切り壁体（「スクリーン」）により、上記境界部を開閉自在に仕切る部屋構造である。上記仕切り壁体は、アルミ材など一定以上の強度を有する枠体と、枠体内に固定される半透明の樹脂板とから構成され、仕切り壁体によって境界部を閉止した状態であっても玄関側から廊下側に採光可能である。
【特許文献１】特開２０００−６４４６７号公報
【発明の開示】
【発明が解決しようとする課題】
【０００４】
ところで、上記特許文献１に記載された廊下の仕切り構造は、一枚のパネル状の剛体よりなる仕切り壁体が、直線状のレール上を滑動して出し入れされる構造なので、仮に廊下の別の箇所にも仕切りを設ける場合には、レールと仕切り壁体のセットからなる仕切りを追加的に設ける必要があった。一般家屋では廊下を複数の位置で仕切ることは多くないが、例えば病院などの建物では、ある階の廊下の一部を時間によって異なる位置で男性エリアと女性エリアとに区分けするようなことがある。その際上記特許文献１のような、直線的なレールと剛なパネル状の仕切り壁体とからなる仕切り構造では、全ての仕切り位置にレールと仕切り壁体の両方を設ける必要がある。仕切り壁体の数について言えば、必ずレールの数（＝廊下の仕切り位置の数）と同数が必要となる。それら複数の、レールと仕切り壁体のセットを設置するための手間やコストは大きい。また、通常、同時に複数の箇所で仕切ることはないため、仕切り壁体を複数設置しておいても、使用される一枚の仕切り壁体以外は常に収納部に収納された未使用の状態にあり、仕切り壁体の利用率の点からも無駄が大きかった。
【０００５】
また、直線的な廊下の仕切り位置ごとに、直線的なレールとパネル状の剛体からなる仕切り壁体を設ける、上記特許文献１のような従来の廊下の仕切り構造においては、仕切り壁体と同数の仕切り壁体収納部を部屋側に設ける必要があった。その結果、空間の利用性の点からも無駄が多く、かつ不便であった。病院の例について言えば、廊下を複数の位置で仕切るような場合、廊下に面した診察室や病室が形成される部屋側スペースに突出させて、仕切り壁体の設置位置ごとに仕切り壁体収納部を設けなくてはならず、部屋側スペースの無駄が大きいうえに、その存在が部屋側スペースの設計上の制約となってしまい、居室空間の有効利用の観点からも非常に不都合なものとなっていた。
【０００６】
本発明は上記従来の課題に鑑みて創案されたものであって、設置コストや設置作業の手間の点で非常に合理的であるとともに、仕切り壁体の利用率の点からも効率がよく、さらに仕切り壁体収納部の数が少なくて済む廊下の仕切り構造を提供することを目的とする。
【課題を解決するための手段】
【０００７】
本発明にかかる廊下の仕切り構造は、廊下を複数の位置で仕切る構造であって、廊下の横断方向に仕切り可能な長さを有し長さ方向に屈曲自在な仕切り壁体と、該仕切り壁体の移動を案内するレールとを備え、該レールは、複数の廊下横断部と、該廊下横断部以外の連繋部とを有し、上記仕切り壁体の数は上記廊下横断部の数よりも少ないことを特徴とする。
【発明の効果】
【０００８】
本発明にかかる廊下の仕切り構造にあっては、設置コストや設置作業の手間の点で非常に合理的であるとともに、仕切り壁体の利用率の点からも効率がよく、さらに仕切り壁体収納部の数が少なくて済む。
【発明を実施するための最良の形態】
【０００９】
以下に、本発明にかかる廊下の仕切り構造の好適な一実施形態を、添付図面を参照して詳細に説明する。本実施形態では、病院のある階の廊下Ｈを、時間によって異なる仕切り位置で、男子患者専用エリア（以下、男子エリアという）と女子患者専用エリア（以下、女子エリアという）とに区画するための仕切り構造を例示して説明する。本実施形態にかかる廊下の仕切り構造は基本的には、図１から図５に示すように、長さ方向に屈曲自在な一枚の仕切り壁体１と、廊下Ｈの一部に平面視略Ｓ字状に設けられて、仕切り壁体１の移動を案内する上レール２および下レール３と、廊下に面する壁面の一部、具体的には廊下Ｈと男女兼用病室Ａとの間の壁面の一部を窪ませた形（奥側は男女兼用病室Ａの一隅に突出した形）で上下レール２、３に連続して設けられ、非使用時の仕切り壁体１が収納される仕切り壁体収納部４とから構成される。
【００１０】
男子エリアは、図１における左側に設けられた各部屋の出入り口に面する廊下Ｈの部分である。すなわち、男子専用病室Ｆや階段ホールＩ、面会室Ｊの各部屋に面する廊下部分Ｈ１を含む部分である。女子エリアは図１における右側の各部屋の出入り口に面する廊下Ｈの部分である。すなわち、診察室Ｃおよび診察室Ｄ、女子専用病室Ｅ、そして女子専用病室Ｈの各部屋に面する廊下部分Ｈ４を含む部分である。男女兼用病室Ａ、Ｂは、ともに男子専用となる時と女子専用となる時があり、男女兼用病室Ａに面する廊下部分Ｈ２、および男女兼用病室Ｂに面する廊下部分Ｈ３は、それぞれの病室Ａ、Ｂが男子専用の時は男子エリアとされ、女子専用の時は女子エリアとなる。デイルームＧは、常に男女共用である。具体的には、デイルームＧには、廊下Ｈに面する出入り口が二つ設けられており、左側の出入り口Ｇｅ１は、常に男子エリアとなる廊下部分Ｈ１に面しており、右側の出入り口Ｇｅ２は、常に女子エリアとなる廊下部分Ｈ４に面しているので、常に男子・女子共に出入りすることができる。
【００１１】
上下レール２、３には、廊下Ｈを横切って左右に仕切る三箇所の仕切り位置である廊下横断部Ｓ１、Ｓ２、Ｓ３が設けられている。図１には、仕切り壁体１が仕切り壁体収納部４から引き出されて、これらの各廊下横断部Ｓ１〜Ｓ３に仮想的に配置された状態を描いている。ただし図１では、仕切り壁体１がある程度屈曲したままの状態で描いており、完全に延伸された状態で描いてはいない。すなわち、各廊下横断部Ｓ１〜Ｓ３に完全に展開されて廊下Ｈを仕切った、仕切り構造となった状態ではない。仕切り壁体１を各廊下横断部Ｓ１〜Ｓ３に沿って完全に延伸させ、その前端側（仕切り壁体１から見て、仕切り壁体収納部４と反対側：図２参照）および後端側の端部を床面５の下レール３などに固定させると、廊下Ｈを完全に横断するよう展開されて、廊下Ｈを左側と右側とに区画するような仕切り構造を形成する。その結果、廊下部分Ｈ１を含む、仕切り壁体１の左側廊下部分が男子エリア、廊下部分Ｈ４を含む仕切り壁体１の右側廊下部分が女子エリアとなるような仕切り構造が形成される。
【００１２】
図２には、仕切り壁体１を廊下横断部Ｓ２に沿って完全に延伸させ、仕切り壁体１の前後端を固定した状態を模式的に示している。上下レール２、３については、その中心線のみを示している。また、上下レール２、３の、廊下横断部Ｓ１と廊下横断部Ｓ２との間部分、および廊下横断部Ｓ２と廊下横断部Ｓ３との間部分は、仕切り壁体１を移動させるための連繋部Ｒ１、Ｒ２である。仕切り構造を取り払い、廊下Ｈの全部分Ｈ１〜Ｈ４を男女ともに通行可能とするには、仕切り壁体１を仕切り壁体収納部４に収納すればよいが、仕切り構造を一時的に取り払うだけであれば、仕切り壁体１を連繋部Ｒ１、Ｒ２の部分に配置しておいてもよい。
【００１３】
仕切り壁体１の構成は、図３に示すように、主にアルミニウムなどの金属製の枠体６と、枠体６に固定的に配設される約３ｍｍ程度の厚さの、透明アクリル板などの樹脂板７とからなる。枠体６は、仕切り壁体１の長さ方向全体にほぼ一定間隔で複数並設された縦長矩形状のフレーム８と、フレーム８の上下の端部に挟持され、枠体６の上下縁辺を構成する横長矩形状の上桟９および下桟１０とから形成される。互いに隣接し合う各フレーム８同士の間には、縦長矩形状の上記樹脂板７が挿入され、樹脂板７の左右の縁辺は、左右のフレーム８に設けられた樹脂板挟持部８ａ（図４参照）に挟持されて固定される。各樹脂板７の上下の縁辺は、上桟９の下縁部、および下桟１０の上縁部にそれぞれ設けられた挟持部９ａ、１０ａ（図５参照）によりそれぞれ挟持されて固定される。図示例にあってはさらに、仕切り壁体１の上下方向中程よりやや下方の位置に、互いに隣接し合う各フレーム８間にそれぞれ渡設されて、補強のための複数の中桟１１が設けられ、樹脂板７を挟持している。
【００１４】
図４に示すように、各フレーム８は、上下方向に延設された縦長の方形管８ｂを支点として、その仕切り壁体１の前端側および後端側に樹脂板挟持部８ａが回動自在に連結された構成である。その結果、仕切り壁体１は全体として、長さ方向に樹脂板７を単位に屈曲自在となっている。このように長さ方向に屈曲自在な構造の仕切り壁体１は、仕切り壁体収納部４に収納される際には、各樹脂板７同士が互いに重なり合うようにぴったりと折りたたまれて、幅方向にはほぼ樹脂板７の幅寸法と同程度となり、かつ前後方向にも非常にコンパクトな寸法となって収納される。
【００１５】
また、仕切り壁体１の、上記のような樹脂板７単位の屈曲自在性により、仕切り壁体１をコーナーＲやＳ字型Ｒなどの曲線状の上下レール２、３に沿って自在に屈曲させることが可能である。本実施形態の仕切り壁体１においては、廊下横断部Ｓ１に固定される場合には前端部がコーナーＲに、廊下横断部Ｓ２に固定される場合には全体がＳ字型Ｒに、廊下横断部Ｓ３に固定される場合には後端部が（廊下横断部Ｓ１の場合とは反対側に屈曲した）コーナーＲを描くように屈曲されて展開され、曲面的な（平面視では曲線的な）仕切り構造を形成する。
【００１６】
仕切り壁体１の前後端にはそれぞれ、各フレーム８と同じ上下寸法を有する取っ手枠１２が、前端フレーム８のさらに前側端面および後端フレーム８のさらに後ろ側端面に回動自在に連結されて設けられている。これら前後の取っ手枠１２は、各フレーム８よりも幅広であって、その中桟１１と同じ高さ位置には、仕切り壁体１を前方あるいは後方に移動させる際に手で握持するための取っ手１２ａが設けられている。また、仕切り壁体１の片面側の各フレーム８表面には、上記方形管８ｂと重なり合う位置に方形管８ｂとほぼ同じ形状のリブ８ｃが設けられており（図４、図５参照）、各フレーム８の上下方向の撓みなどに対する強度を補っている。
【００１７】
また、前端側取っ手枠１２の前側端面の下方、および後端側取っ手枠１２の後ろ側端面の下方、それぞれ床面５に近い位置には、前後端の取っ手枠１２を床面５に固定するとともに、廊下横断部Ｓ１〜Ｓ３における仕切り壁体１を位置決めするための、一般周知技術のフランス落とし１３が設けられている。仕切り壁体１をいずれかの廊下横断部Ｓ１〜Ｓ３に固定する際には、これら前後端の取っ手枠１２に設けられたフランス落とし１３の操作部１３ａを操作し、取っ手枠１２内に設けられている金属製の落とし棒（図示せず）を、床面５の、下レール３上に設けられた金属製の落とし坪３ａに落とし込む。すると、前後端の取っ手枠１２が床面５に対して固定され、その結果、仕切り壁体１が前後方向に移動しない固定された状態となる。
【００１８】
また、仕切り壁体１のフレーム８のうち数本には、それらの横方向（仕切り壁体１の壁面方向と直交する方向、以下同様）のふれを防止するためのふれ止め落とし１４が設けられている。これらのふれ止め落とし１４は、上記フランス落とし１３と同様の構成の係合機構であって、各フレーム８の内部に設けられた落とし棒（図示せず）が床面５の下レール３上に設けられた落とし坪３ａに落とし込まれることによって、そのフレーム８を床面５に対し固定する。これらのふれ止め落とし１４は、フレーム８の左右両側面上にその操作部１４ａが設けられており、仕切り壁体１の左右どちら側からでも操作を行うことができる。従って例えば、廊下横断部Ｓ２に仕切り壁体１を固定する際、その固定作業を行う者は、廊下部分Ｈ２とＨ３のどちらかに位置しつつ、まず仕切り壁体１の前後端の取っ手枠１２をフランス落とし１３により固定するのであるが、その作業を廊下部分Ｈ２とＨ３のどちら側から行っても、その後各ふれ止め落とし１４を係合する操作を行うことができる。
【００１９】
また、図４に示すように、仕切り壁体収納部４の床面５上には、下レール３と平行に、仕切り壁体１のフレーム８に当接する位置に収まりガイド１５が設けられている。この収まりガイド１５により、仕切り壁体１を収納する際に、仕切り壁体１がレールの横方向にぶれることが防止され、スムーズな収納操作性が実現されるとともに、折りたたまれた仕切り壁体１が左右方向にずれたりせず直線的に整然と収納される。
【００２０】
また、図５に示すように、天井材１６に埋設された上レール２は、天井材１６よりも上方のスペースに、上レール２と平行に設置されたレール取り付けフレーム１７から吊り下げ支持されている。上レール２の内部には、ローラ載置部２ａが形成されている。仕切り壁体１の枠体６の、上桟９の上端面には、各フレーム８に対応する位置に複数のローラ部１８が設けられており、上レール２のローラ載置部２ａにこれらのローラ部１８が回転自在に載置されることによって、仕切り壁体１が上レール２に係合される。また、本実施形態における下レール３は、床面５上にフランス落とし１３およびふれ止め落とし１４用の落とし坪３ａが設けられているだけであり、特に溝状のレールなどは設けられていない構成である。フランス落とし１３やふれ止め落とし１４の落とし棒が係合するための凹部３ｂを備えた金属製の落とし坪３ａは、その凹部３ｂが床面５から下方に垂下するように床材に埋設されている。仕切り壁体１の下桟１０の下端面には、下桟１０の全長にわたって、床面５上の下レール３部分に当接された線状封止部材１９が設けられている。モヘヤなどの素材からなるこの線状封止部材１９は、仕切り壁体１の下部をくぐって埃などが行き来することを防止する。
【００２１】
以上の構成を備えた、本実施形態にかかる廊下の仕切り構造の作用について説明する。廊下Ｈをいずれかの廊下横断部（＝廊下の仕切り位置）Ｓ１〜Ｓ３にて仕切る際には、まず仕切り壁体１を、その前端側の取っ手１２ａを握持しつつ仕切り壁体収納部４より引き出し、当該廊下横断部Ｓ１〜Ｓ３の位置にて仕切り壁体１を延伸させ、前後端の取っ手枠１２に設けられたフランス落とし１３を係合することによって両取っ手枠１２を位置決めしつつ固定する。
【００２２】
男女兼用病室Ａおよび男女兼用病室Ｂを、ともに女子専用として使用したい場合には、仕切り壁体１を廊下横断部Ｓ１に固定すればよい。このようにすれば、廊下横断部Ｓ１よりも左側（図１参照、以下同様）の廊下部分Ｈ１が男子エリア、廊下横断部Ｓ１よりも右側の廊下部分Ｈ２、Ｈ３、Ｈ４が女子エリアとなり、男女兼用病室Ａの出入り口に面する廊下部分Ｈ２、および男女兼用病室Ｂの出入り口に面する廊下部分Ｈ３は、ともに女子のみが行き来できるエリアとなるからである。
【００２３】
また、男女兼用病室Ａを男子専用として、男女兼用病室Ｂを女子専用として使用したい場合には、仕切り壁体１を廊下横断部Ｓ２に固定すればよい。このようにすれば、廊下横断部Ｓ２よりも左側の廊下部分Ｈ１、Ｈ２が男子エリア、廊下横断部Ｓ２よりも右側の廊下部分Ｈ３、Ｈ４が女子エリアとなり、男女兼用病室Ａの出入り口に面する廊下部分Ｈ２は男子のみが行き来できるエリアとなり、男女兼用病室Ｂの出入り口に面する廊下部分Ｈ３は女子のみが行き来できるエリアとなるからである。
【００２４】
また、男女兼用病室Ａおよび男女兼用病室Ｂを、ともに男子専用として使用したい場合には、仕切り壁体１を廊下横断部Ｓ３に固定すればよい。このようにすれば、廊下横断部Ｓ３よりも左側の廊下部分Ｈ１、Ｈ２、Ｈ３が男子エリア、廊下横断部Ｓ３よりも右側の廊下部分Ｈ４が女子エリアとなり、男女兼用病室Ａの出入り口に面する廊下部分Ｈ２、および男女兼用病室Ｂの出入り口に面する廊下部分Ｈ３は、ともに男子のみが行き来できるエリアとなるからである。
【００２５】
仕切り壁体１を廊下の仕切り構造として使用しない場合には、一時的であれば上下レール２、３の連繋部Ｒ１、Ｒ２に延伸させた状態で、あるいはある程度もしくは完全に折りたたんで配置しておけばよい。そうでない場合には、仕切り壁体１を、後端側の取っ手１２ａを握持しつつ仕切り壁体収納部４の入り口まで引き戻し、それから前端側の取っ手枠１２を保持して仕切り壁体１を仕切り壁体収納部４へと押し込む。すると、仕切り壁体１は、各フレーム８の樹脂板挟持部８ａが方形管８ｂを中心に順次回動されて、樹脂板７を単位に順次折りたたまれて仕切り壁体収納部４へと収納されてゆく。
【００２６】
以上説明した、本実施形態にかかる廊下の仕切り構造にあっては、設置コストや設置作業の手間の点で非常に合理的であるとともに、仕切り壁体１の利用率の点からも非常に効率がよい。具体的には、一枚の仕切り壁体１が、三箇所の廊下横断部Ｓ１〜Ｓ３を有する一組の上下レール２、３に案内されて自在に移動し、いずれかの廊下横断部Ｓ１〜Ｓ３に固定されて仕切り構造を形成するので、複数の仕切り壁体や複数の上下レールを設けることなく三箇所の仕切り位置を様々に変更することが可能である。また、廊下横断部Ｓ１〜Ｓ３の数（＝廊下の仕切り位置の数）が三つ設けられているにも関わらず、仕切り壁体１はそれよりも少ない一枚で済むため、設置コストや設置作業の手間の点で非常に合理的であるとともに、仕切り壁体１の利用率の点からも非常に効率がよい。
【００２７】
また、本実施形態にかかる廊下の仕切り構造にあっては、仕切り壁体１の収納スペースである仕切り壁体収納部４の数が、廊下の仕切り位置の数（＝上下レール２、３の廊下横断部の数）と比較して少なくて済むとともに、その長さ寸法が小さくて済む。具体的には従来の技術例として、直線的な廊下の仕切り位置ごとに、直線的なレールとパネル状の剛体からなる仕切り壁体を設けるような廊下の仕切り構造においては、廊下の仕切り位置の数と同数の仕切り壁体を設ける必要があり、さらに仕切り壁体と同数の仕切り壁体収納部を部屋側に設ける必要があった。その上、仕切り壁体収納部の長さ寸法を仕切り壁体の長さ以上とする必要があった。その結果、空間の利用性の点からも無駄が多く、かつ不便であった。病院の例について言えば、廊下を複数の位置で仕切るような場合、廊下に面した診察室や病室が形成される部屋側スペースに突出させて、仕切り壁体の設置位置ごとに仕切り壁体収納部を設けなくてはならず、部屋側スペースの無駄が大きいうえに、その存在が部屋側スペースの設計上の制約となってしまい、居室空間の有効利用の観点からも非常に不都合なものとなっていた。
【００２８】
これに対し、本実施形態の仕切り壁体１は、廊下の仕切り位置である廊下横断部Ｓ１〜Ｓ３が三箇所設けられているにも関わらず、仕切り壁体１はそれよりも少ない一枚で済むため、仕切り壁体収納部４の数も一つで済む。また、仕切り壁体１は、長さ方向に屈曲自在かつ折りたたみ可能な構造であり、回動自在なフレーム８部分で折りたたまれて非常にコンパクトな寸法となって仕切り壁体収納部４に収納することが可能であるので、仕切り壁体収納部４の長さ寸法も非常に小さくて済む。その結果、上記実施形態においては、廊下Ｈ側から見ると壁面内に収納されており、男女兼用病室Ａ側から見るとその一隅に突設した形状の仕切り壁体収納部４によって、部屋側スペースに無駄な空間が大きく生じることがない上、部屋の構成などを考える上で設計上の制約となるおそれも少ないので、居室空間の有効利用を損なうこともない。なお仕切り壁体収納部４は、上記実施形態と異なり、廊下Ｈ内に設けることも考えられるが、その場合であっても同様に、非常に小さな寸法で済むためスペースの無駄や設計上の制約を生じるおそれは小さく、居室空間の有効利用を損なうこともない。
【００２９】
また、仕切り壁体１は、長さ方向に屈曲自在な構造であるので、上下レール２、３の廊下横断部Ｓ１〜Ｓ３や連繋部Ｒ１、Ｒ２がコーナーＲやＳ字型Ｒなど、平面視で曲線を有する場合であっても、自在に屈曲して沿わせることが可能であり、従って廊下Ｈの曲線的な仕切り構造に対しても何ら問題なく適合することができる。また、特に本本実施形態における廊下横断部Ｓ２のように、仕切り壁体１の前後端部分が廊下Ｈの壁面に沿うように曲折されている場合には、廊下Ｈの壁面と仕切り壁体１との間の間隙を少なく設定し、さらに仕切り壁体１の取っ手枠１２やフレーム８の一部などに廊下Ｈの壁面に当接するシール部材などを設けることによって、仕切り壁体１の左右における気密性を図ることも可能である。
【００３０】
図６〜８には、上記実施形態の様々な変形例が模式的に示されている。上下レール２、３については、その中心線のみを示している。上記図１〜図５に示した実施形態と異なる部分についてのみ説明する。図６に示す変形例にあっては、上下レール２、３の廊下横断部Ｓ４、Ｓ５、Ｓ６および連繋部Ｒ３、Ｒ４の構成は上記実施形態と同様であるが、廊下部分Ｈ２、Ｈ３に面する部屋の配置が異なっている。部屋Ｋの出入り口は、廊下部分Ｈ２に面しており、部屋Ｋと廊下Ｈを隔てて反対側に位置する部屋Ｌの出入り口は、廊下部分Ｈ３に面している。
【００３１】
このような変形例にあっても、上記図１〜図５に示した実施形態と同様の作用効果を奏することはもちろんである。特にこの変形例にあっては、部屋Ｋおよび部屋Ｌを、ともに女子専用として使用したい場合には、仕切り壁体１を廊下横断部Ｓ４に固定すればよい。このようにすれば、廊下横断部Ｓ４よりも左側（図６参照）の廊下部分Ｈ１が男子エリア、廊下横断部Ｓ４よりも右側の廊下部分Ｈ２、Ｈ３、Ｈ４が女子エリアとなり、部屋Ｋの出入り口に面する廊下部分Ｈ２、および部屋Ｌの出入り口に面する廊下部分Ｈ３は、ともに女子のみが行き来できるエリアとなるからである。同様に、部屋Ｋを男子専用、部屋Ｌを女子専用として使用したい場合には、仕切り壁体１を廊下横断部Ｓ５に固定すればよい。また、部屋Ｋおよび部屋Ｌを、ともに男子専用として使用したい場合には、仕切り壁体１を廊下横断部Ｓ６に固定すればよい。
【００３２】
図７に示す変形例にあっては、上下レール２、３が上記の実施形態よりも短く構成されており、廊下横断部は三箇所でなく二箇所（Ｓ７、Ｓ８）のみ設けられている。廊下Ｈの同じ側に設けられた三つの部屋Ｍ、Ｎ、Ｏの出入り口は、それぞれ廊下部分Ｈ１、Ｈ２、Ｈ３に面している。
【００３３】
このような変形例にあっても、上記図１〜図５に示した実施形態と同様の作用効果を奏することはもちろんである。特にこの変形例にあっては、部屋Ｍは必ず男子専用であって、部屋Ｏは必ず女子専用となる。部屋Ｎを、女子専用として使用したい場合には、仕切り壁体１を廊下横断部Ｓ７に固定すればよい。このようにすれば、廊下横断部Ｓ７よりも左側（図７参照）の廊下部分Ｈ１が男子エリア、廊下横断部Ｓ７よりも右側の廊下部分Ｈ２、Ｈ３が女子エリアとなり、部屋Ｎの出入り口に面する廊下部分Ｈ２は、女子のみが行き来できるエリアとなるからである。同様に、部屋Ｎを、男子専用として使用したい場合には、仕切り壁体１を廊下横断部Ｓ８に固定すればよい。
【００３４】
図８に示す変形例にあっては、上下レール２、３の廊下横断部が四箇所（Ｓ９〜Ｓ１２）設けられており、一番目〜三番目の廊下横断部Ｓ９〜Ｓ１１は、上記図１〜図５に示した実施形態の廊下横断部Ｓ１〜Ｓ３と同様の構造であるが、三番目の廊下横断部Ｓ１１の先で上下レール２、３は仕切り壁体収納部４の側へ戻るように向かい、四番目の廊下横断部Ｓ１２は二番目の廊下横断部Ｓ１０と平面視Ｘ字型に交差している。部屋は、廊下Ｈの仕切り壁体収納部４の側に二つ、その反対側に一つ設けられており。仕切り壁体収納部４側に設けられた部屋Ｐの出入り口は、廊下部分Ｈ２に面しており、部屋Ｑの出入り口は廊下部分Ｈ５に面している。廊下Ｈの反対側に設けられた部屋Ｒの出入り口は、仕切り壁体１を廊下横断部Ｓ１０に固定した場合は廊下部分Ｈ４に面し、仕切り壁体１を廊下横断部Ｓ１２に固定した場合は廊下部分Ｈ３に面し、それ以外の廊下部分Ｓ９、Ｓ１１で仕切った場合は、廊下部分Ｈ３および廊下部分Ｈ４の両方に面する。
【００３５】
このような変形例にあっても、上記図１〜図５に示した実施形態と同様の作用効果を奏することはもちろんである。特にこの変形例にあっては、廊下部分Ｈ１〜Ｈ６までを男子専用とするか女子専用とするかという仕切り構造、言い換えれば、各部屋Ｐ、Ｑ、Ｒを男子専用とするか女子専用とするかという仕切り構造を、より複雑に変更することが可能となる。
【００３６】
具体的には、仕切り壁体１を廊下横断部Ｓ９に固定した場合は、その左側の廊下部分Ｈ１は男子エリア、右側の廊下部分Ｈ２〜Ｈ６は全て女子エリアとなるため、廊下部分Ｈ２に面する部屋Ｐ、廊下部分Ｈ３および廊下部分Ｈ４に面する部屋Ｒ、廊下部分Ｈ５に面する部屋Ｑは全て女子専用となる。仕切り壁体１を廊下横断部Ｓ１０に固定した場合は、その左側の廊下部分Ｈ１、Ｈ２、Ｈ３は男子エリア、右側の廊下部分Ｈ４、Ｈ５、Ｈ６は女子エリアとなり、この場合は部屋Ｒは廊下部分Ｈ４に面する。その結果、廊下部分Ｈ２に面する部屋Ｐは男子専用となり、廊下部分Ｈ４に面する部屋Ｒおよび廊下部分Ｈ５に面する部屋Ｑは女子専用となる。仕切り壁体１を廊下横断部Ｓ１１に固定した場合は、その左側の廊下部分Ｈ１〜Ｈ５は男子エリア、右側の廊下部分Ｈ６は女子エリアとなるため、廊下部分Ｈ２に面する部屋Ｐ、廊下部分Ｈ３および廊下部分Ｈ４に面する部屋Ｒ、廊下部分Ｈ５に面する部屋Ｑは全て男子専用となる。仕切り壁体１を廊下横断部Ｓ１２に固定した場合は、その左側の廊下部分Ｈ１、Ｈ２、Ｈ３は男子エリア、右側の廊下部分Ｈ４、Ｈ５、Ｈ６は女子エリアとなり、この場合は部屋Ｒは廊下部分Ｈ３に面する。その結果、廊下部分Ｈ２に面する部屋Ｐおよび廊下部分Ｈ３に面する部屋Ｒは男子専用となり、廊下部分Ｈ５に面する部屋Ｑは女子専用となる。
【００３７】
なお、上記の実施形態や変形例にあっては、いずれも上下レールが一連に（一筆書き的に）連続した構成であったが、そのような例に限定されるものではなく、途中に分岐を有する形状であっても構わない。また、いずれの実施形態や変形例にあっても、廊下の仕切り位置である廊下横断部は、廊下の片側壁面から反対側の壁面まで完全に横断し、廊下を完全に左右に分ける（仕切る）構成であったが、そのような例に限定されるものではなく、例えば廊下の片側壁面から廊下中程まで、廊下を部分的に横断するような構成により、部分的に廊下を仕切るような構造としてもよい。
【００３８】
また、上記の実施形態や変形例にあっては、いずれも上下にレールを設ける構成（下レールはフランス落としやふれ止め落としの落とし坪のみで構成）であったが、仕切り壁体が十分に固定され得る限りにおいて片方のみ、すなわち、上レールのみあるいは下レールのみで仕切り壁体を支持するような構成としてもよい。また、上記の実施形態や変形例にあっては、いずれも廊下壁面から部屋側スペースに突出させて仕切り壁体収納部を設け、仕切り壁体を収納する構成であったが、仕切り壁体収納部を省略することも可能である。その場合、仕切り壁体の非使用時には、上下レールの一部、例えば連繋部の一部やいずれかの廊下横断部の端部などに、折りたたんで収納しておけばよい。このような場合であっても、仕切り壁体は長さ、幅ともに非常にコンパクトな寸法に折りたたむことが可能な構造であるので、収納のためのスペースは非常に小さくて済む。
【００３９】
また、上記の実施形態や変形例にあっては、いずれも仕切り壁体を一枚のみ設ける構成であったが、そのような例に限定されるものではなく、一本のレールに案内される仕切り壁体を複数設ける構成とすることも可能である。例えば、レールの廊下横断部の数（＝廊下の仕切り位置の数）が十箇所も設けられているような場合は、仕切り壁体を二枚設けることとすれば、二箇所の仕切り位置の組み合わせを自在に変更することによって、より多様な廊下の仕切り構造を実現することができる。このような変形例においても、上記実施形態や上記各変形例と同様に、仕切り壁体の数は廊下横断部の数よりも少ないものとすることができ、設置コストや設置作業の手間の点で非常に合理的であるとともに、仕切り壁体の利用率の点からも非常に効率がよい。また、二枚の仕切り壁体のための仕切り壁体収納部は、レールの始点側および終点側の二箇所に設けるだけでよく、仕切り壁体収納部の数も廊下の仕切り位置の数と比較して少なくて済む。またこの変形例の場合、片方の仕切り壁体を特定の廊下横断部に常時固定して、他方の仕切り壁体のみを移動自在としてもよい。そのような場合、必ずしも廊下を常に二箇所で仕切らなくともよく、他方の仕切り壁体を仕切り壁体収納部に収納することによって、一方の仕切り壁体による一箇所の廊下横断部のみにおいて仕切る構造とすることも可能である。このような場合は、仕切り壁体収納部は他方の仕切り壁体のために一つだけ設ければ済む。またこのような変形例においても、仕切り壁体は屈曲自在かつ折りたたみ可能な構造であるので仕切り壁体収納部の長さ寸法は非常に小さくて済む。
【図面の簡単な説明】
【００４０】
【図１】本発明にかかる廊下の仕切り構造の好適な一実施形態を示す平面図である。
【図２】図１の要部を示す平面図である。延伸させた状態の仕切り壁体は模式的に示している。
【図３】図１の仕切り構造に設けられる仕切り壁体の側面図である。
【図４】図１の仕切り構造の、仕切り壁体収納部を上から見た断面図である。
【図５】図３のＡ−Ａ線断面図である。上レールよりも上方の部分も示している。
【図６】本発明にかかる廊下の仕切り構造の、変形例を示す模式的な平面図である。
【図７】本発明にかかる廊下の仕切り構造の、別の変形例を示す模式的な平面図である。
【図８】本発明にかかる廊下の仕切り構造の、さらに別の変形例を示す模式的な平面図である。
【符号の説明】
【００４１】
１  仕切り壁体
２  上レール
３  下レール
Ｓ１〜Ｓ１２  廊下横断部
Ｒ１〜Ｒ４  連繋部
【図１】
2006161315.tif 000003
【図２】
2006161315.tif 000004
【図３】
2006161315.tif 000005
【図４】
2006161315.tif 000006
【図５】
2006161315.tif 000007
【図６】
2006161315.tif 000008
【図７】
2006161315.tif 000009
【図８】
2006161315.tif 000010